(57)【要約】【課題】  歯列や咬合状態を正確に計測する場合や、更には人体のバランスを総合的に追求する各種治療法等に用いるべく、個々の脊椎の生理的湾曲を保障して、人体が重力の方向に沿った状態においてその筋肉の緊張を可及的に緩和させることのできる診療用いすを提供する。【解決手段】  座席に座った状態の被験者の頭蓋の位置と骨盤の位置をそれぞれ規制する頭蓋位置規制手段７および骨盤位置規制手段４を設け、これらの各規制手段７，４は、頭蓋および骨盤のそれぞれ左右方向への中心となる各平面が、ともに重力の方向に沿った同一平面である中心平面ないに入るよう、被験者の頭蓋および骨盤のそれぞれ左右両側に当接してその位置を固定する構造とし、被験者の体を重力に対して垂直・水平方向にバランスをがとれた理想状態として脊椎の生理的湾曲を保障し、その状態を維持することを可能とする。【選択図】  図１
2005270374.tif 000002
【特許請求の範囲】
【請求項１】
個々の脊椎の生理的湾曲を実現し人体が重力の方向に沿った状態において筋肉の緊張を緩和する状態を維持するために主として用いられる診療用いすであって、
座席に座った状態の被験者の頭蓋の位置と骨盤の位置をそれぞれ規制する頭蓋位置規制手段および骨盤位置規制手段を備え、これらの頭蓋位置規制手段および骨盤位置規制手段は、頭蓋および骨盤のそれぞれ左右方向への中心となる各平面が、ともに重力の方向に沿った同一平面である中心平面内に入るよう、被験者の頭蓋および骨盤のそれぞれ左右両側に当接してその位置を固定することを特徴とする診療用いす。
【請求項２】
座席に座った状態の被験者の足の裏が水平面に密着するよう、当該座席の座面の床面に対する高さ、もしくは別途設けられている足裏搭載板表面と座面との鉛直方向距離を調整する高さ調整手段を備えていることを特徴とする請求項１に記載の診療用いす。
【請求項３】
座席に座った状態の被験者の両膝間の開き角度が、上記中心平面に対して左右対称となるように両膝に当接してその位置を固定する膝位置規制手段を備えていることを特徴とする請求項１または２に記載の診療用いす。
【請求項４】
座席に座った状態の被験者の腰椎を、座席から所定の高さの位置で後方から押圧する腰椎押圧手段を備えていることを特徴とする請求項１、２または３に記載の診療用いす。
【請求項５】
座席に座った状態の被験者の両脇の左右方向への中心となる平面が、上記中心平面内に入るように両脇に当接してその位置を固定する脇位置規制手段を備えていることを特徴とする請求項１、２、３または４に記載の診療用いす。
【請求項６】
座席に座った状態の被験者の後頭部に当接して、頭蓋の前後方向への位置を規制する頭蓋前後位置規制手段を備えていることを特徴とする請求項１、２、３、４または５に記載の診療用いす。
【請求項７】
上記座席の座面の水平面に対する角度を変更する座面角度調節手段を備えていることを特徴とする請求項１、２、３、４、５または６に記載の診療用いす。
【請求項８】
上記座席の座面の略中央部分に、孔もしくは凹部が形成されていることを特徴とする請求項１、２、３、４、５、６または７に記載の診療用いす。
【請求項９】
上記頭蓋位置規制手段、骨盤位置規制手段、および／または脇位置規制手段が、それぞれ座席に座った状態の被験者の左右両側に位置して該当部位にそれぞれ当接する一対の規制部材と、各一対の規制部材を水平方向に移動させる調節機構を含み、各調節機構は、各一対の規制部材を当該いすの中心線に対して互いに左右対称に等量ずつ移動させる機構であることを特徴とする請求項１、２、３、４、５、６、７または８に記載の診療用いす。
【請求項１０】
上記頭蓋位置規制手段、脇位置規制手段および腰椎押圧手段において被験者に対して当接する部材が、被験者の体型に基づいてそれぞれ上下動機構により上下動可能に設けられていることを特徴とする請求項１、２、３、４、５、６、７、８または９に記載の診療用いす。
【請求項１１】
上記頭蓋位置規制手段、骨盤位置規制手段、脇位置規制手段における一対の規制部材の位置、腰椎押圧手段における押圧部材の位置、および／または座面角度調節手段における座面の角度を、被験者ごとに記憶する記憶手段を備えるとともに、指令の付与によりその記憶手段の内容に基づいて上記各一対の規制部材、押圧部材および／または座面をアクチュエータにより自動的に被験者に応じた位置もしくは角度に再現するように構成されていることを特徴とする請求項１、２、３、４、５、６、７、８、９または１０に記載の診療用いす。
【発明の詳細な説明】
【技術分野】
【０００１】
本発明は、個々の脊椎の生理的湾曲を実現して、人体の筋肉の緊張を可及的に緩和するために用いられる診療用いすに関し、例えば人体のバランスを総合的に追求する治療法等に用いるのに適した診療用いすに関する。
【背景技術】
【０００２】
人体は本来、重力に対して垂直およひ水平方向にバランスがとれた状態で存在することを理想としている。人体が重力に対してバランスがとれた状態となるためには、２０６ないしは２０８個の骨の相互の関係が基礎となる。現在、それらの骨の役割、状態を理解し、人体のバランスを総合的に追求する治療機器並びに治療法は世に出ていない。
【０００３】
例えば歯科用の各種診断機器を用いた各種計測等を行うに当たっては、従来、傾動自在の背板を有する診療台（例えば特許文献１参照）を用い、その診療台の背板を水平にして被験者を寝かせた状態で計測するのが一般的である。
【０００４】
そのため、例えば人体の上顎と下顎の歯列の形状計測や咬合計測を行うべく、紙などの基材の両面にカーボンなどの着色剤を付与した咬合シートを被験者に噛ませ、歯が咬合シートに接触した部位の色の変化から被験者の歯列の状態や咬合状態を検査しても、得られる歯列や咬合状態は、あくまでも被験者が寝た状態ないしは後傾した状態でのそれにすぎず、正しい歯列ないしは咬合状態を把握することができなかった。
【０００５】
このようなことを解決することを目的として、従来、咬合シートに金属製芯線等の仮止め手段を一体化し、咬合シートを被験者の歯ないしは歯列に仮止めした状態で咬合計測を行うようにすることで、被験者の自然状態での咬合状態を計測することを可能とした咬合検出方法並びに咬合シートが提案されている（例えば特許文献２参照）。
【特許文献１】特開平９−５１９２４号公報
【特許文献２】特開２００３−３８５２４号公報
【発明の開示】
【発明が解決しようとする課題】
【０００６】
しかしながら、以上のような特許文献２に開示されている咬合シートを用いた咬合検査方法を用いても、被験者の正確な咬合状態を把握することができないことが、本発明者らの研究により明らかになった。これは、被験者が自然状態、例えば自然にいすに座ったり立位の状態で咬合シートを噛んだとき、被験者が無意識のうちに最も早く当たる点（早期接触）を感じとり、脳が前後左右の咬合平面のバランスを合わせようと、頭蓋と頸椎の位置を偏位させてしまうためである。このような頭蓋と頸椎の偏位状態で咬合シートを噛んでその当たりを見ても、正しい咬合状態を把握することはできない。
【０００７】
このような歯列や咬合状態は、頭蓋と頸椎の水平・垂直のバランスをとった状態で被験者の各部の動きを規制して計測すれば、正確に把握できることが、本発明者らの長年の研究により確かめられている。
【０００８】
そこで、本発明の課題は、以上のような歯列や咬合状態を正確に計測する場合や、更には人体のバランスを総合的に追求する各種治療法等に用いるべく、個々の脊椎の生理的湾曲を保障して、人体が重力の方向に沿った状態においてその筋肉の緊張を可及的に緩和させることのできる診療用いすを実現することにある。
【課題を解決するための手段】
【０００９】
上記の課題を解決するため、本発明の診療用いすは、個々の脊椎の生理的湾曲を実現し人体が重力の方向に沿った状態において筋肉の緊張を緩和する状態を維持するために主として用いられる診療用いすであって、座席に座った状態の被験者の頭蓋の位置と骨盤の位置をそれぞれ規制する頭蓋位置規制手段および骨盤位置規制手段を備え、これらの頭蓋位置規制手段および骨盤位置規制手段は、頭蓋および骨盤のそれぞれ左右方向への中心となる各平面が、ともに重力の方向に沿った同一平面である中心平面内に入るよう、被験者の頭蓋および骨盤のそれぞれ左右両側に当接してその位置を固定することによって特徴づけられる（請求項１）。
【００１０】
ここで、本発明においては、座席に座った状態の被験者の足の裏が水平面に密着するよう、当該座席の座面の床面に対する高さ、もしくは別途設けられている足裏搭載板表面と座面との鉛直方向距離を調整する高さ調整手段を備えた構成（請求項２）を好適に採用することができる。
【００１１】
また、本発明においては、座席に座った状態の被験者の両膝間の開き角度が、上記中心平面に対して左右対称となるように両膝に当接してその位置を固定する膝位置規制手段を備えること（請求項３）、および、座席に座った状態の被験者の腰椎を、座席から所定の高さの位置で後方から押圧する腰椎押圧手段を備えていること（請求項４）、更には座席に座った状態の被験者の両脇の左右方向への中心となる平面が、上記中心平面内に入るように両脇に当接してその位置を固定する脇位置規制手段を備えていること（請求項５）が好ましい。
【００１２】
更に、本発明においては、座席に座った状態の被験者の後頭部に当接して、頭蓋の前後方向への位置を規制する頭蓋前後位置規制手段を備えた構成（請求項６）を好適に採用することができる。
【００１３】
また、本発明においては、上記座席の座面の水平面に対する角度を変更する座面角度調節手段を備えた構成（請求項７）、および、座席の座面の略中央部分に、孔もしくは凹部を形成した構成（請求項８）を採用することができる。
【００１４】
そして、本発明における頭蓋位置規制手段、骨盤位置規制手段、および／または脇位置規制手段の具体的構成としては、それぞれ座席に座った状態の被験者の左右両側に位置して該当部位にそれぞれ当接する一対の規制部材と、各一対の規制部材を水平方向に移動させる調節機構を含み、各調節機構は、各一対の規制部材を当該いすの中心線に対して互いに左右対称に等量ずつ移動させる機構とすること（請求項９）ができる。
【００１５】
また、本発明における頭蓋位置規制手段、脇位置規制手段および腰椎押圧手段において被験者に対して当接する部材が、被験者の体型に応じてそれぞれ上下動機構により上下動可能に設けること（請求項１０）が好ましい。
【００１６】
更に、本発明においては、上記した頭蓋位置規制手段、骨盤位置規制手段、脇位置規制手段における一対の規制部材の位置、腰椎押圧手段における押圧部材の位置、および／または座面角度調節手段における座面の角度を、被験者ごとに記憶する記憶手段を備えるとともに、指令の付与によりその記憶手段の内容に基づいて上記各一対の規制部材、押圧部材および／または座面をアクチュエータにより自動的に被験者に応じた位置もしくは角度に再現するように構成すること（請求項１１）ができる。
【００１７】
本発明は、被験者の体を重力に対して垂直および水平方向にバランスがとれた理想状態を維持させることができれば、正確な咬合状態をはじめ、その被験者の生理的状態を誤ることなく把握することができることに着目し、そのバランスがとれた理想状態を容易に実現して維持することのできる機器を鋭意研究した結果としてなされたものである。
【００１８】
すなわち、重力に対して垂直および水平にバランスがとれた状態は、頸椎の１番（環椎）と頭蓋骨との関係から説明することができる。頭蓋骨は頸椎の１番と互いの中心線上に位置していなければならない。そのためには、顔面の前後と左右のバランスが重要である。そして、重力に対して歩行運動するときの、頭と頸椎の１番と足の裏の原則的なバランスを見る必要がある。この間には頸椎、胸椎、腰椎、骨盤、足の骨などが相互に関与している。前後のバランスは、骨盤と膝の位置、足の裏との関係で決まる。いすに座って膝を合わせた状態から左右の足を座席のセンターに対してそれぞれ４５度ずつ開脚した位置が最も理想（２０〜８０度でも効果あり）である。更にこの状態で腰椎を固定することで、下半身から骨盤、腰椎、胸椎、頸椎に及ぶＳ字形の生理的湾曲（理想の形状）が回復される。このときに生理的湾曲の狂い、頭の前後左右の狂いが存在すれば、その歪は頭と頸椎の１番に集中する。この状態を、本発明に係る診療用いすを用いることで把握することができる。
【００１９】
最も基本的には、請求項１に係る発明のように、座席に座った被験者の頭蓋と骨盤の位置を左右方向に規制する頭蓋位置規制手段および骨盤位置規制手段を備えて、頭蓋および骨盤の各左右方向への中心となる各平面（正中矢状面）が、ともに重力の方向に沿った同一平面（中心平面）に入るように被験者の頭蓋と骨盤を固定することにより、上記した垂直および水平のバランスがとれた状態とすることができる。
【００２０】
このとき、足の裏は床面に密着させてもよいし、別途足裏搭載板を設けてその表面に密着させてもよいが、請求項２に係る発明のように、座面の床面に対する高さ、もしくは足裏搭載板表面と座面との鉛直方向距離を調整する高さ調整手段を設けることにより、被験者の人体サイズに応じた調整を容易化することができる。
【００２１】
また、請求項３に係る発明のように、座席に座った被験者の両膝間の開き角度が、中心平面に対して左右対称となるように両膝に当接して固定する膝位置規制手段を設けること、および、請求項５に係る発明のように、脇位置規制手段を設けて、被験者の両脇間の左右方向への中心となる平面についても、上記した中心平面に入るようにすれば、被験者の姿勢を更に確実に垂直および水平のバランスがとれたより理想的な状態に近づけることが可能となる。
【００２２】
更に、請求項４に係る発明のように、座席に座った状態の被験者の腰椎を座席から所定の位置で後方から押圧する腰椎押圧手段を設けることにより、請求項６に係る発明において備える頭蓋前後位置規制手段と共働して、被験者の下半身から骨盤、腰椎、胸椎、頸椎にＳ字形の生理的湾曲の形成を助長する。また、頭蓋前後位置規制手段は、被験者の頭蓋の位置決めをより確実なものとすることにも寄与する。
【００２３】
ここで、被験者の状態によっては、座面が水平の場合に脊椎の生理的湾曲が実現しない場合、すなわち腰椎が前に出ない場合がある。このとき、必要に応じて、請求項７に係る発明のように、座席の座面の水平面に対する角度を調節する手段を用いて、例えば膝の高さを座面、つまり臀部よりも高くするように調節することで、脊椎の生理的湾曲を実現することができることが、これまでの研究により判明している。
【００２４】
また、請求項８に係る発明のように、座席の座面の略中央部分に孔もしくは凹部を形成することにより、尾底骨が座面に当接して被験者の姿勢を損なうことを防止することが可能となり、尾底骨が突出した被験者でもその診療を容易化することができる。この構成を採用するに当たっては、座面の幅もしくは孔、凹部の大きさを被験者の体型に合わせて可変とすることが望ましい。
【００２５】
そして、被験者の各部をその左右方向への位置を規制する頭蓋位置規制手段、骨盤位置規制手段、脇位置規制手段については、請求項９に係る発明のように、一対の規制部材を被験者の該当部位に当接させる構成とし、各規制部材はいすの中心線に対して左右対称に等量ずつ移動させる機構とすることにより、各部の左右方向への位置決め作業を容易化することができる。
【００２６】
また、頭蓋位置規制手段、脇位置規制手段および腰椎押圧手段の被験者に対して当接する部材については、請求項１０に係る発明のように、被験者の体型に応じて上下動させ得るように構成することで、どのような体型の被験者でもその診療を可能とすることができる。
【００２７】
そして、請求項１１に係る発明のように、頭蓋位置規制手段、骨盤位置規制手段、脇位置規制手段、腰椎押圧手段の被験者に対して当接する部材の位置（水平、垂直位置）と、座面角度当接手段における座面角度を、被験者ごとに記憶する記憶手段を設けて、指令の付与により記憶手段の内容に基づいて上記各部材ないしは座面角度をアクチュエータにより自動的に駆動して、被験者に応じた位置もしくは角度に再現するように構成すれば、同じ被験者に対しては最初に上記各部材の位置ないしは座面角度を調節するだけで、２度目以降はその調節作業を不要とすることができる。
【発明の効果】
【００２８】
本発明によれば、被験者を着座させて各調整手段を調整することにより、被験者の個々の脊椎の生理的湾曲を保障して、筋肉の緊張を可及的に緩和させことができ、被験者に存在する生理的湾曲の狂い、頭の前後左右の狂いを確実に把握することができ、人体のバランスを総合的に追求するための治療方針を見いだすことができる。また、この状態で例えば咬合状態を計測することにより、咬合に関する治療方針を誤ることなく見いだすことができる。
【発明を実施するための最良の形態】
【００２９】
以下、図面を参照しつつ本発明の実施の形態について説明する。
図１は本発明の実施の形態を側方から見た図であり、図２は背面から見た図である。また、図３には図１におけるＡ−Ａ断面図を、図４には図１におけるＢ−Ｂ断面図を、また、図５には図１におけるＣ−Ｃ断面図をそれぞれ示す。
【００３０】
床面Ｆに据え付けられる基板１に対して鉛直のコラム２が固定されており、そのコラム２には、座席支持体３の基端が固定されているとともに、下から順に骨盤・膝位置規制機構４、腰椎押圧機構５、脇位置規制機構６、および頭蓋位置規制機構７が取り付けられ、更には頭蓋前後位置規制部材８が装着されている。
【００３１】
座席支持部材３にはピニオン９ａがピローブロックなどによって回転自在に支持されているとともに、このピニオン９ａはハンドル９ｂの操作により回転する。また、ピニオン９ａには鉛直方向に伸びるラック９ｃが噛み合っており、このラック９ｃの上端に部に座席１０の後端部がピン接合されている。座席１０は図３に示すように先端部が分かれた略Ｕ字形をしており、その先端部は２つのヒンジ９ｄを介して座席支持部材３に支持されている。従って、ハンドル９ｂを操作してピニオン９ａを回転させることによってラック９ｃが上下動し、これにより座席１０の表面（座面）の水平面に対する角度が変化する。これらのピニオン９ａ，ラック９ｃ、ヒンジ９ｄ等が座面角度調節機構９を構成している。  
【００３２】
基板１には、２本の鉛直ガイド１１ａが固定されているとともに、ハンドル１１ｂを備えた鉛直のねじ１１ｃが回動自在に支持されており、これらによって足裏搭載板１２が３点支持されている。すなわち、各鉛直ガイド１１ａにはブッシュ１２ａを介して摺動自在に、ねじ１１ｃに対しては、当該足裏搭載板１２に固着されたナット（図示せず）がねじ込まれている。従って、ハンドル１１ｂを操作してねじ１１ｃを回転させることによって、足裏搭載板１２は水平を保った状態で上下動し、これよにり座席１０の座面と足裏搭載板１２の表面との鉛直方向距離を変化させ得るようになっている。この足裏当接板１２は、被験者が座席１０に座った状態で、両足の裏がこの足裏当接板１２に密着するように、その高さを調節する。
【００３３】
さて、前記した骨盤・膝位置規制機構４、腰椎押圧機構５、脇位置規制機構６、および頭蓋位置規制機構７は、それぞれコラム２に沿って上下動させるための上下動機構を含んでおり、その上下動機構の詳細については後述する。また、骨盤・膝位置規制機構４、脇位置規制機構６および頭蓋位置規制機構７は、それぞれ、被験者の該当部位に左右から当接して位置決めするための一対の当接部材と、その一対の当接部材をいすの左右方向中心線（以下、単にいすの中心線と称する）を挟んでその両側で互いに接近／離隔するようにそれぞれ等量に移動させる機構を含んでおり、その接近／離隔機構の詳細についても後述する。
【００３４】
骨盤・膝位置規制機構４は、図３に示すように、後述する接近／離隔機構によりいすの中心線は挟んでその両側で等量ずつ互いに接近／離隔する一対のアーム４ａと、その各アーム４ａの内側に固定されて被験者の骨盤に左右両側から当接する一対の骨盤当接部材４ｂを有しているとともに、各アーム４ａの先端側には、いすの中心線に対してそれぞれ４５度だけ開くように屈曲した屈曲部４ｃが設けられている。この膝位置規制機構４は、座席１０に座った被験者の骨盤に対し、一対のアーム４ａを接近／離隔させて骨盤当接部材４ｂを左右両側から当接させる。その状態で被験者の両足を開き、各足の外側をアーム４ａの屈曲部４ｃに当接させる。これにより、被験者は骨盤が左右両側から規制された状態で、両足が左右に４５度開いた状態となる。
【００３５】
脇位置規制機構６は、座席１０に座った被験者の両脇にそれぞれ挟み込まれる一対のアーム６ａと、その一対のアーム６ａをいすの中心線を挟んでその両側で等量ずつ互いに接近／離隔させるための接近／離隔機構を有しており、被験者の両脇の直下部分においてアーム６ａが左右両側から胴体に当接するように調節することにより、脇の部分の胴体の左右方向への位置が規制される。
【００３６】
頭蓋位置規制機構７は、図４に示すように、後述する接近／離隔機構によりいすの中心線を挟んでその両側で等量ずつ互いに接近／離隔する一対のアーム７ａと、その各アーム７ａの内側に固着されて座席１０に座った被験者の耳を迂回して頬骨弓近傍に左右両側から当接する一対の頭蓋当接部材７ｂを有している。各アーム７ａに対する頭蓋当接部材７ｂの前後位置は調節可能となっている。この頭蓋位置規制機構７により、座席に座った被験者の頭蓋の左右方向の位置が規制される。また、頭蓋前後位置規制部材８は、頭蓋位置規制機構７と共通の上下動機構に取り付けられており、被験者の後頭部に当接して、被験者の視線がほぼ水平になるように頭蓋の位置を規制する。この頭蓋前後位置規制部材８は前後方向に位置を調節できるようになっている。
【００３７】
腰椎押圧機構５は、図５に示すように、コラム２に対して上下動する筐体５ａと、その筐体５ａに固着されたナット５ｂ、そのナット５ｂにねじ込まれたねじ５ｃ、筐体５ａに対してブッシュ５ｄを介して軸方向に摺動自在に支持されたガイドバー５ｅ、およびそのガイドバー５ｅに対してねじ止めされ、かつ、ねじ５ｃを軸受５ｆを介して回動自在に支持する押圧部材５ｇを主体として構成され、ねじ５ｃはハンドル５ｈにより回転させることができるようになっている。この構成により、ハンドル５ｈを回転させることによって押圧部材５ｇが前後動し、座席１０に座った被験者の腰椎の適宜箇所を押圧し、その前後方向への位置を規制する。
【００３８】
以上の各機構が有している上下動機構について、頭蓋位置規制機構７のそれを代表させて以下に説明すると、図６に図１のＤ−Ｄ断面図を示すように、上下動機構７０は、コラム２に対して上下動する筐体７１と、その筐体７１に両端部が軸支され、ハンドル７２に一体化された回転軸７３と、筐体７１の内側において回転軸７３に固定されてコラム２の側面に当接するゴムリング７４を備えるとともに、コラム２に対してゴムリング７４の反対側の側面に当接する与圧付与部材７５と、その与圧付与部材７５のコラム２に対する押し付け力を調整する調整ねじ７６、およびコラム２の背面に対して押圧部材７７を押し付けることによって筐体７１のコラム２に対する移動を阻止する固定ねじ７８によって構成されている。この構成において、固定ねじ７８を緩めた状態で、ハンドル７２を回転させると、与圧付与部材７５によりコラム２との間に適当な与圧が付与されているゴムリング７４が回転し、筐体７１がコラム２に対して上下動する。筐体７１の上下方向の位置を定めた後、固定ねじ７８を締めつけることにより、筐体７１はその位置でコラム２に対して固定された状態となり、上下方向への位置調節を完了する。
【００３９】
次に、骨盤・膝位置規制機構４、脇位置規制機構６および頭蓋位置規制機構７が有している接近／離隔機構について、頭蓋位置規制機構７のそれを代表させて以下に説明する。前記した図４と、その図４におけるＥ−Ｅ断面図を表す図７（Ａ）、およびその図７（Ａ）のＦ−Ｆ断面図を表す図７（Ｂ）を参照する。
【００４０】
接近／離隔機構７００は、コラム２に取り付けられた上記した上下動機構７０の筐体７１に搭載されており、筐体７１に対して固定される支持部材７０１と、筐体７１に回転自在に軸支され、ハンドル７０２の回転により回転が与えられる回転軸７０３と、その回転軸７０３に固着されたピニオン７０４と、そのピニオン７０４に対して上下で噛み合う２本のラック７０５ａ，７０５ｂ、支持部材７０１に固定され、各ラック７０５ａ，７０５ｂを左右方向に移動自在に支持する上下のガイド７０６、および回転軸７０３の回転を阻止するための固定ねじ７０７を主体として構成されている。そして、頭蓋位置規制機構７の左右のアーム４ａは、それぞれラック７０５ａ，７０５ｂに固定されている。
【００４１】
この構成において、固定ねじ７０７を緩めた状態で、ハンドル７０２を操作して回転軸７０３を介してピニオン７０４に回転を与えると、上下のラック７０５ａ，７０５ｂが互いに逆向きに、従って接近／離隔する向きに互いに等量ずつ左右方向に移動し、これによって左右一対のアーム４ａがいすの中心線を挟んで両側で等量ずつ互いに接近／離隔するように移動する。
【００４２】
以上の本発明の実施の形態の使用方法の例について述べると、被験者を座席１０に座らせた後、まず、足裏搭載板１２を上下動させ、座席１０に座った被験者の足裏が足裏搭載板１２の表面に密着するように調節する。なお、必要に応じて座面角度を調節する。
【００４３】
次に、骨盤・膝位置規制機構４を調節し、被験者の骨盤の左右方向への位置を規制するとともに、いすの中心に対して膝を４５度開いた状態とする。その後、腰椎の高さに腰椎押圧部材５の押圧部材５ｇの高さを合わせ、被験者の腰部（臍の近傍）を前方に出させた姿勢をとらせる。その姿勢が緩まないように（元の位置に戻らないように）、その状態での腰椎の位置に押圧部材５ｇが当たるように調節する。
【００４４】
次に、脇位置規制機構６の各アーム６ｂの幅を被験者の体に適した幅に調節した後、この脇位置規制機構６を下から上へ移動させて脇の位置で止める。これによって、被験者が左右に振れないようにする。その後、頭蓋位置規制機構７の頭蓋押圧部材７ｂの位置が被験者の左右の頬骨弓の高さになるように調節し、かつ、頭蓋押圧部材７ｂの前後の位置を調整して、当該頭蓋押圧部材７ｂの先端が頬骨弓に当たるようにする。このとき、頭蓋前後位置規制部材８を調節して、被験者の視線がほぼ水平になるようにする。
【００４５】
以上の各部の調節を完了した時点では、被験者はその頭蓋と骨盤の左右方向の各中心となる平面が、いずれもいすの中心、つまり鉛直のコラム２に沿った共通の鉛直面（重力の方向に沿った平面）上に位置した状態となり、加えてその共通の鉛直面を中心として両膝が４５度ずつ開いた状態で、足裏が足裏搭載板１２に密着した状態となる。更に、この状態で頭蓋前後位置規制機構５と頭蓋前後位置規制部材８による規制により、被験者の下半身から骨盤、腰椎、胸椎、頸椎に及ぶＳ字形の生理的湾曲が回復される。
【００４６】
この状態を維持することにより、被験者に存在する生理的湾曲の狂い、頭の前後左右の狂いの把握が容易となり、そのバランスを総合的に追求するための治療方針を見いだすことができ、また、この状態で咬合状態を計測することにより、咬合に関する治療方針を正確に見いだすことができる。
【００４７】
ここで、以上の実施の形態においては、各規制機構等の上下動および左右動並びに前後動を、それぞれハンドルの操作により行うようにしたが、例えばパルスモータ等のアクチュエータを駆動して各機構の各方向への移動を行うように構成することができる。また、この場合、これらの各パルスモータ等をパーソナルコンピュータの制御下に置き、各パルスモータ等による各機構や押圧部材の位置を被験者ごとにメモリに記憶するように構成して、その記憶内用を呼び出して指令を与えることにより、各機構、部材が被験者に応じた位置に自動的に移動するように構成することができ、このような構成の採用により、各被験者に対する調節を一度だけ行っておくことで、２度目以降の調節は実質的に不要となる。
【００４８】
なお、コラム２は鉛直方向にほぼ正確に立設する必要があるが、基板１の下方に水平調整用の脚を設けるとともに、コラム２の内部に重錘を垂らし、その周囲にリングを配して、そのリングの中央に重錘が位置するように水平調整用の脚を調整するように構成すれば、その設置作業を容易化することができる。
【図面の簡単な説明】
【００４９】
【図１】本発明の実施の形態を側方から見た図である。
【図２】同じく本発明の実施の形態を背面から見た図である。
【図３】図１におけるＡ−Ａ断面図である。
【図４】図１におけるＢ−Ｂ断面図である。
【図５】図１におけるＣ−Ｃ断面図である。
【図６】図１におけるＤ−Ｄ断面図である。
【図７】（Ａ）図４におけるＥ−Ｅ断面図で、（Ｂ）は当該図７（Ａ）におけるＦ−Ｆ断面図である。
【符号の説明】
【００５０】
１  基板
２  コラム
３  座席支持体
４  骨盤・膝位置規制機構
５  腰椎押圧機構
６  脇位置規制機構
７  頭蓋位置規制機構
８  頭蓋前後位置規制部材
９  座面角度調節機構
１０  座席
１２  足裏搭載板
【図１】
2005270374.tif 000003
【図２】
2005270374.tif 000004
【図３】
2005270374.tif 000005
【図４】
2005270374.tif 000006
【図５】
2005270374.tif 000007
【図６】
2005270374.tif 000008
【図７】
2005270374.tif 000009